(57)【要約】【課題】プロジェクトのＱＡ計画書の作成を自動化することにより、プロジェクトの品質保証活動を効率化することを目的とする。【解決手段】計画生成装置１０では、属性値取得部１００が、品質計画書４００を生成する対象の計画プロジェクトの属性値を取得する。類似抽出部１０３が、計画プロジェクトの属性値に基づいて、属性データベース２００から計画プロジェクトと類似するプロジェクトパターンを抽出する。計画書生成部１０４が、プロジェクトパターンに基づいて、計画書テンプレートデータベース２０２から計画書テンプレート２２を取得し、取得した計画書テンプレート２２と計画プロジェクトの属性値とを用いて、計画プロジェクトの品質計画書４００を生成する。【選択図】図１
2018116449.tif 000002
【特許請求の範囲】
【請求項１】
プロジェクトの属性を表す属性値により分類されたプロジェクトパターンを格納する属性データベースと、プロジェクトパターンと品質保証の計画を表す品質計画書の計画書テンプレートとを対応付けた計画書テンプレートデータベースとを記憶する記憶部と、
品質計画書を生成する対象の計画プロジェクトの属性値を取得する属性値取得部と、
前記属性値取得部により取得された前記計画プロジェクトの属性値に基づいて、前記属性データベースから前記計画プロジェクトと類似するプロジェクトパターンを抽出する類似抽出部と、
前記類似抽出部により抽出されたプロジェクトパターンに基づいて、前記計画書テンプレートデータベースから品質計画書の計画書テンプレートを取得し、取得した計画書テンプレートと前記計画プロジェクトの属性値とを用いて、前記計画プロジェクトの品質計画書を生成する計画書生成部と
を備えた計画生成装置。
【請求項２】
前記属性値取得部は、
入力インタフェースを介して表示と操作の受付を繰り返す対話方式を用いて、利用者から前記計画プロジェクトの属性値を取得する請求項１に記載の計画生成装置。
【請求項３】
前記記憶部は、
前記計画プロジェクトの属性値が設定される計画属性データベースを記憶し、
前記属性値取得部は、
前記計画プロジェクトの属性値を前記計画属性データベースに設定する請求項１または２に記載の計画生成装置。
【請求項４】
前記計画書生成部は、
前記計画属性データベースに設定された属性値を前記計画プロジェクトの属性値として計画書テンプレートに設定することにより、前記計画プロジェクトの品質計画書を生成する請求項３に記載の計画生成装置。
【請求項５】
前記属性値取得部は、
プロジェクトが従う適用規則を格納した規則計画データベースに基づいて、前記計画プロジェクトが従う適用規則を前記計画プロジェクトの属性値として取得する請求項１から４のいずれか１項に記載の計画生成装置。
【請求項６】
前記記憶部は、
プロジェクトの実施結果が設定される結果報告書とプロジェクトの実施結果から導かれる指摘事項が設定される是正指摘票とのテンプレートを報告指摘テンプレートとして格納する報告指摘テンプレートデータベースを記憶し、
前記計画生成装置は、
前記計画プロジェクトを実施した実施者から実施結果を取得し、前記実施結果に基づいて前記報告指摘テンプレートデータベースから報告指摘テンプレートを選定し、前記報告指摘テンプレートに前記実施結果を設定することにより前記計画プロジェクトを実施した際の結果報告書および是正指摘票を生成する報告指摘生成部を備えた請求項１から５のいずれか１項に記載の計画生成装置。
【請求項７】
プロジェクトの属性を表す属性値により分類されたプロジェクトパターンを格納する属性データベースと、プロジェクトパターンと品質保証の計画を表す品質計画書の計画書テンプレートとを対応付けた計画書テンプレートデータベースとを記憶する記憶部を有する計画生成装置の計画生成方法において、
属性値取得部が、品質計画書を生成する対象の計画プロジェクトの属性値を取得し、
類似抽出部が、前記属性値取得部により取得された前記計画プロジェクトの属性値に基づいて、前記属性データベースから前記計画プロジェクトと類似するプロジェクトパターンを抽出し、
計画書生成部が、前記類似抽出部により抽出されたプロジェクトパターンに基づいて、前記計画書テンプレートデータベースから品質計画書の計画書テンプレートを取得し、取得した計画書テンプレートと前記計画プロジェクトの属性値とを用いて、前記計画プロジェクトの品質計画書を生成する計画生成方法。
【請求項８】
プロジェクトの属性を表す属性値により分類されたプロジェクトパターンを格納する属性データベースと、プロジェクトパターンと品質保証の計画を表す品質計画書の計画書テンプレートとを対応付けた計画書テンプレートデータベースとを記憶する記憶部を有する計画生成装置の計画生成プログラムにおいて、
品質計画書を生成する対象の計画プロジェクトの属性値を取得する属性値取得処理と、
前記属性値取得処理により取得された前記計画プロジェクトの属性値に基づいて、前記属性データベースから前記計画プロジェクトと類似するプロジェクトパターンを抽出する類似抽出処理と、
前記類似抽出処理により抽出されたプロジェクトパターンに基づいて、前記計画書テンプレートデータベースから品質計画書の計画書テンプレートを取得し、取得した計画書テンプレートと前記計画プロジェクトの属性値とを用いて、前記計画プロジェクトの品質計画書を生成する計画書生成処理とをコンピュータである前記計画生成装置に実行させる計画生成プログラム。
【発明の詳細な説明】
【技術分野】
【０００１】
本発明は、プロジェクトの計画および実施の客観的評価方式である計画生成装置、計画生成方法および計画生成プログラムに関する。
【背景技術】
【０００２】
従来、品質保証活動に関する品質保証計画、品質監査計画および品質チェックリストといった情報は、実施責任者もしくはそれに準ずる者が経験と知識により、対象プロジェクトの特性に合わせて作成している。ここで、品質保証計画、品質監査計画および品質チェックリストといった情報を、ＱＡ（Ｑｕａｌｉｔｙ  Ａｓｓｕｒａｎｃｅ）計画書という場合がある。
特許文献１から４には、プロジェクトの進捗状況の把握、製品および部品の評価、およびチェックリストから得られるノウハウの共有ができる技術が開示されている。
【先行技術文献】
【特許文献】
【０００３】
【特許文献１】特開２００５−３０９９１７号公報
【特許文献２】特開平０６−２３０９５７号公報
【特許文献３】特開２００４−０５４７８５号公報
【特許文献４】特開２０１６−１５７１５４号公報
【発明の概要】
【発明が解決しようとする課題】
【０００４】
しかしながら、従来の技術では、品質保証活動に関する品質保証計画、品質監査計画および品質チェックリストといったＱＡ計画書は、作成できる者が限られる。また、ＱＡ計画書は、手作業で作成されるため時間がかかる。また、プロジェクトの評価および審査は、製品および部品だけでなく、各種管理活動の成果物、および、製品開発の技術あるいは管理のプロセスも対象である。しかし、従来の技術では、プロセスに対する計画書の自動生成ができない。
【０００５】
本発明は、プロジェクトのＱＡ計画書の作成を自動化することにより、プロジェクトの品質保証活動を効率化することを目的とする。
【課題を解決するための手段】
【０００６】
本発明に係る計画生成装置は、
プロジェクトの属性を表す属性値により分類されたプロジェクトパターンを格納する属性データベースと、プロジェクトパターンと品質保証の計画を表す品質計画書の計画書テンプレートとを対応付けた計画書テンプレートデータベースとを記憶する記憶部と、
品質計画書を生成する対象の計画プロジェクトの属性値を取得する属性値取得部と、
前記属性値取得部により取得された前記計画プロジェクトの属性値に基づいて、前記属性データベースから前記計画プロジェクトと類似するプロジェクトパターンを抽出する類似抽出部と、
前記類似抽出部により抽出されたプロジェクトパターンに基づいて、前記計画書テンプレートデータベースから品質計画書の計画書テンプレートを取得し、取得した計画書テンプレートと前記計画プロジェクトの属性値とを用いて、前記計画プロジェクトの品質計画書を生成する計画書生成部とを備えた。
【発明の効果】
【０００７】
本発明に係る計画生成システムでは、属性値取得部が、品質計画書を生成する対象の計画プロジェクトの属性値を取得する。類似抽出部が、計画プロジェクトの属性値に基づいて、属性データベースから計画プロジェクトと類似するプロジェクトパターンを抽出する。計画書生成部が、プロジェクトパターンに基づいて、計画書テンプレートデータベースから計画書テンプレートを取得し、取得した計画書テンプレートと計画プロジェクトの属性値とを用いて、計画プロジェクトの品質計画書を生成する。よって、本発明に係る計画生成システムによれば、品質計画書を自動生成することができ、品質保証活動の効率化を図ることができる。
【図面の簡単な説明】
【０００８】
【図１】実施の形態１に係る計画生成システム５００および計画生成装置１０の構成図。
【図２】実施の形態１に係る属性データベース２００の構成図。
【図３】実施の形態１に係る計画属性データベース２０１の構成図。
【図４】実施の形態１に係る計画生成装置１０の計画生成方法５１０および計画生成プログラム５２０の計画生成処理Ｓ１００を示すフローチャート。
【図５】実施の形態１の変形例に係る計画生成システム５００および計画生成装置１０の構成図。
【図６】実施の形態２に係る計画生成システム５００ａおよび計画生成装置１０ａの構成図。
【図７】実施の形態２に係る報告指摘生成処理Ｓ２００を示すフローチャート。
【発明を実施するための形態】
【０００９】
以下、本発明の実施の形態について、図を用いて説明する。なお、各図中、同一または相当する部分には、同一符号を付している。実施の形態の説明において、同一または相当する部分については、説明を適宜省略または簡略化する。
【００１０】
実施の形態１．
＊＊＊構成の説明＊＊＊
図１を用いて、本実施の形態に係る計画生成システム５００および計画生成装置１０の構成について説明する。本実施の形態に係る計画生成システム５００および計画生成装置１０は、プロジェクトの品質保証の計画を表す品質計画書４００を生成する。品質計画書４００は、ＱＡ計画書ともいう。
図１に示すように、計画生成システム５００は、計画生成装置１０と、規則計画データベース３００とを有する。計画生成装置１０は、コンピュータである。計画生成装置１０と規則計画データベース３００とはネットワークを介して接続されている。あるいは、計画生成装置１０が規則計画データベース３００を有していてもよい。
計画生成装置１０は、プロセッサ９１０、記憶装置９２０、入力インタフェース９３０、出力インタフェース９４０、および通信装置９５０といったハードウェアを備える。記憶装置９２０は、メモリ９２１と補助記憶装置９２２とを含む。
【００１１】
計画生成装置１０は、機能構成として、属性値取得部１００と、類似抽出部１０３と、計画書生成部１０４と、記憶部１２０とを備える。属性値取得部１００は、属性値抽出部１０１と、表示操作部１０２とを備える。記憶部１２０には、属性データベース２００と、計画属性データベース２０１と、計画書テンプレートデータベース２０２とが記憶される。計画書テンプレートデータベース２０２は、計画書テンプレート２２を有する。
【００１２】
属性値抽出部１０１と、表示操作部１０２と、類似抽出部１０３と、計画書生成部１０４との機能は、ソフトウェアで実現される。
記憶部１２０は、メモリ９２１および補助記憶装置９２２により実現される。また、記憶部１２０は、メモリ９２１のみ、あるいは、補助記憶装置９２２のみで実現されてもよい。記憶部１２０の実現方法は任意である。本実施の形態では、属性データベース２００と、計画属性データベース２０１と、計画書テンプレートデータベース２０２とが、メモリ９２１に記憶される。
【００１３】
プロセッサ９１０は、信号線を介して他のハードウェアと接続され、これら他のハードウェアを制御する。プロセッサ９１０は、演算処理を行うＩＣ（Ｉｎｔｅｇｒａｔｅｄ  Ｃｉｒｃｕｉｔ）である。プロセッサ９１０は、ＣＰＵ（Ｃｅｎｔｒａｌ  Ｐｒｏｃｅｓｓｉｎｇ  Ｕｎｉｔ）あるいはＭＰＵ（Ｍｉｃｒｏ−Ｐｒｏｃｅｓｓｉｎｇ  Ｕｎｉｔ）である。
【００１４】
補助記憶装置９２２は、具体的には、ＲＯＭ（Ｒｅａｄ  Ｏｎｌｙ  Ｍｅｍｏｒｙ）、フラッシュメモリ、または、ＨＤＤ（Ｈａｒｄ  Ｄｉｓｋ  Ｄｒｉｖｅ）である。メモリ９２１は、具体的には、ＲＡＭ（Ｒａｎｄｏｍ  Ａｃｃｅｓｓ  Ｍｅｍｏｒｙ）である。
【００１５】
入力インタフェース９３０は、マウス、キーボード、タッチパネルといった入力装置と接続されるポートである。入力インタフェース９３０は、具体的には、ＵＳＢ（Ｕｎｉｖｅｒｓａｌ  Ｓｅｒｉａｌ  Ｂｕｓ）端子である。なお、入力インタフェース９３０は、ＬＡＮ（Ｌｏｃａｌ  Ａｒｅａ  Ｎｅｔｗｏｒｋ）と接続されるポートであってもよい。
品質保証計画者である利用者６０は、入力インタフェース９３０を介して、品質計画書を生成する対象の対象プロジェクトである計画プロジェクトの属性値を対話的に計画生成装置１０に入力する。
【００１６】
出力インタフェース９４０は、ＨＤＤおよびプリンタといった印刷機器、あるいはディスプレイといった表示機器のケーブルが接続されるポートである。出力インタフェース９４０は、具体的には、ＵＳＢ端子またはＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）端子である。ディスプレイは、具体的には、ＬＣＤ（Ｌｉｑｕｉｄ  Ｃｒｙｓｔａｌ  Ｄｉｓｐｌａｙ）である。
計画書生成部１０４は、出力インタフェース９４０を介して、生成した品質計画書４００を表示機器に出力する。なお、品質計画書４００には、品質保証計画４０１、品質監査計画４０２およびチェックリスト４０３が含まれる。
【００１７】
通信装置９５０は、レシーバとトランスミッタとを備える。具体的には、通信装置９５０は通信チップまたはＮＩＣ（Ｎｅｔｗｏｒｋ  Ｉｎｔｅｒｆａｃｅ  Ｃａｒｄ）である。通信装置はデータを通信する通信部である。レシーバはデータを受信する受信部である。トランスミッタはデータを送信する送信部である。
計画生成装置１０は、通信装置９５０を介して、規則計画データベース３００に接続されている。規則計画データベース３００は、プロジェクト計画データベース３０１と、規則データベース３０２と、フェーズ規則データベース３０３と、フェーズ成果物データベース３０４と、成果物規則データベース３０５とを有する。
【００１８】
補助記憶装置９２２には、属性値抽出部１０１と、表示操作部１０２と、類似抽出部１０３と、計画書生成部１０４との機能を実現するプログラムが記憶されている。属性値抽出部１０１と、表示操作部１０２と、類似抽出部１０３と、計画書生成部１０４との機能を実現するプログラムを計画生成プログラム５２０ともいう。このプログラムは、メモリ９２１にロードされ、プロセッサ９１０に読み込まれ、プロセッサ９１０によって実行される。また、補助記憶装置９２２には、ＯＳが記憶されている。ＯＳの少なくとも一部がメモリ９２１にロードされる。プロセッサ９１０はＯＳを実行しながら、計画生成プログラム５２０を実行する。
【００１９】
計画生成装置１０は、１つのプロセッサ９１０のみを備えていてもよいし、複数のプロセッサ９１０を備えていてもよい。複数のプロセッサ９１０が属性値抽出部１０１と、表示操作部１０２と、類似抽出部１０３と、計画書生成部１０４との機能を実現するプログラムを連携して実行してもよい。
【００２０】
属性値抽出部１０１と、表示操作部１０２と、類似抽出部１０３と、計画書生成部１０４との処理の結果を示す情報、データ、信号値、および変数値は、計画生成装置１０の補助記憶装置９２２、メモリ９２１、または、プロセッサ９１０内のレジスタまたはキャッシュメモリに記憶される。
【００２１】
属性値抽出部１０１と、表示操作部１０２と、類似抽出部１０３と、計画書生成部１０４との機能を実現するプログラムは、可搬記録媒体に記憶されてもよい。可搬記録媒体とは、具体的には、磁気ディスク、フレキシブルディスク、光ディスク、コンパクトディスク、ブルーレイ（登録商標）ディスク、ＤＶＤ（Ｄｉｇｉｔａｌ  Ｖｅｒｓａｔｉｌｅ  Ｄｉｓｃ）である。
なお、計画生成プログラムプロダクトとは、計画生成プログラム５２０が記録された記憶媒体および記憶装置である。計画生成プログラムプロダクトは、外観に関わらず、コンピュータ読み取り可能なプログラムをロードしているものを指す。
【００２２】
＊＊＊データ構成の説明＊＊＊
本実施の形態に係る計画生成システム５００は、品質保証計画４０１、品質監査計画４０２およびチェックリスト４０３といった品質計画書４００を、品質保証計画者である利用者６０と対話式に自動生成するシステムである。
図２は、本実施の形態に係る属性データベース２００の構成を示す図である。
属性データベース２００は、プロジェクトの属性を表す属性値により分類されたプロジェクトパターンを格納する。具体的には、属性データベース２００は、プロジェクトの属性項目と、プロジェクトをパターンに分類したプロジェクトパターンを識別する一連のパターン識別子とを格納する。また、属性データベース２００は、パターン識別子により識別されるプロジェクトパターンの各々に対して、属性項目ごとに属性値が設定されている。プロジェクトの属性項目は、具体的には、ビジネスユニット、製品ドメイン、開発期間、開発規模、ライフサイクルモデル、人数、成果物の種類、成果物の数、および適用規則といった項目である。また、その他にも、図２の属性データベース２００に示すような属性項目がある。
【００２３】
図３は、本実施の形態に係る計画属性データベース２０１の構成を示す図である。
計画属性データベース２０１は、品質計画書の作成の対象となる計画プロジェクト７０の属性値が設定される。計画属性データベース２０１には、計画プロジェクト７０の特徴となる属性項目に対し、具体的なプロジェクトの計画、開発対象の特徴あるいは適用する規則といった属性値が設定される。
【００２４】
計画書テンプレートデータベース２０２は、プロジェクトパターンと、品質保証の計画を表す品質計画書の計画書テンプレート２２とを対応付けて格納する。計画書テンプレートデータベース２０２は、プロジェクトパターンを識別するパターン識別子と、品質計画書の計画書テンプレート２２とが対応付けられている。
【００２５】
規則計画データベース３００は、プロジェクトが従う適用規則を格納する。具体的には、規則計画データベース３００は、プロジェクトが従うべき規則および計画を格納する。
プロジェクト計画データベース３０１は、プロジェクトの計画書および実績値あるいは実績状況を格納する。
規則データベース３０２は、プロジェクトが従うべき手順あるいは規則を格納する。
フェーズ規則データベース３０３は、開発フェーズと適用規則との対応情報を格納する。
フェーズ成果物データベース３０４は、開発フェーズと成果物との対応情報を格納する。
成果物規則データベース３０５は、成果物と適用規則との対応情報を格納する。
【００２６】
＊＊＊動作の説明＊＊＊
図４は、本実施の形態に係る計画生成装置１０の計画生成方法５１０および計画生成プログラム５２０の計画生成処理Ｓ１００を示すフローチャートである。計画生成プログラム５２０は、以下に示す各処理をコンピュータである計画生成装置１０に実行させる。
なお、以下の処理において、品質計画書４００を作成する対象のプロジェクトを計画プロジェクトとする。
【００２７】
＜属性値取得処理Ｓ１０＞
ステップＳ１０１において、属性値取得部１００の属性値抽出部１０１は、規則計画データベース３００から計画プロジェクトのプロジェクト属性値を抽出する。
ステップＳ１０２において、属性値取得部１００の表示操作部１０２は、品質保証計画者である利用者６０と対話的にデータを入出力し、利用者６０に計画プロジェクト７０のプロジェクト属性値を入力させる。
ステップＳ１０３において、属性値取得部１００は、計画プロジェクトと類似するプロジェクトパターンの判定に必要なプロジェクト属性値を計画属性データベース２０１に設定する。
ステップＳ１０１からステップＳ１０３において、属性値取得部１００は、品質計画書を生成する対象の計画プロジェクト７０の属性値を取得する属性値取得処理Ｓ１０を実行する。属性値取得処理Ｓ１０では、属性値取得部１００は、入力インタフェース９３０を介して表示と操作の受付を繰り返す対話方式を用いて、利用者６０である品質保証計画者から計画プロジェクト７０の属性値を取得する。そして、属性値取得部１００は、計画プロジェクト７０の属性値を計画属性データベース２０１に設定する。なお、属性値取得部１００は、プロジェクトが従う適用規則を格納した規則計画データベース３００に基づいて、計画プロジェクト７０が従う適用規則を計画プロジェクト７０の属性値として取得する。
【００２８】
＜類似抽出処理Ｓ２０＞
ステップＳ１０４において、類似抽出部１０３は、属性値取得処理Ｓ１０により取得された計画プロジェクト７０の属性値に基づいて、属性データベース２００から計画プロジェクト７０と類似するプロジェクトパターンを抽出する。具体的には、類似抽出部１０３は、属性データベース２００と計画属性データベース２０１とに基づいて、属性データベース２００から計画プロジェクトと類似するプロジェクトパターンのパターン識別子を判定する。類似抽出部１０３は、類似プロジェクト判定処理部ともいう。
【００２９】
＜計画書生成処理Ｓ３０＞
ステップＳ１０５において、計画書生成部１０４は、計画書生成処理Ｓ３０を実行する。計画書生成部１０４は、類似抽出処理Ｓ２０により抽出されたプロジェクトパターンに基づいて、計画書テンプレートデータベース２０２から品質計画書の計画書テンプレート２２を取得する。そして、計画書生成部１０４は、取得した計画書テンプレート２２と計画プロジェクト７０の属性値とを用いて、計画プロジェクト７０の品質計画書４００を生成する。計画書生成部１０４は、計画属性データベース２０１に設定された属性値を計画プロジェクト７０の属性値として計画書テンプレート２２に設定することにより、計画プロジェクト７０の品質計画書４００を生成する。具体的には、計画書生成部１０４は、類似抽出部１０３により判定されたパターン識別子に基づいて、計画書テンプレートデータベース２０２の中から品質計画書の計画書テンプレート２２を選定する。そして、計画書生成部１０４は、選定した品質計画書の計画書テンプレート２２に、計画属性データベース２０１の属性値を設定することにより、計画プロジェクト７０の品質計画書４００を生成する。計画書生成部１０４は、出力インタフェース９４０を介して、計画プロジェクトの品質計画書４００を出力する。
【００３０】
＊＊＊他の構成＊＊＊
本実施の形態では、属性値抽出部１０１と、表示操作部１０２と、類似抽出部１０３と、計画書生成部１０４との機能がソフトウェアで実現される。しかし、変形例として、属性値抽出部１０１と、表示操作部１０２と、類似抽出部１０３と、計画書生成部１０４との機能がハードウェアで実現されてもよい。
【００３１】
図５を用いて、本実施の形態の変形例に係る計画生成システム５００および計画生成装置１０の構成について説明する。
図５に示すように、計画生成装置１０は、処理回路９０９、入力インタフェース９３０、出力インタフェース９４０、および通信装置９５０といったハードウェアを備える。
【００３２】
処理回路９０９は、上述した属性値抽出部１０１と、表示操作部１０２と、類似抽出部１０３と、計画書生成部１０４との機能および記憶部１２０を実現する専用の電子回路である。処理回路９０９は、具体的には、単一回路、複合回路、プログラム化したプロセッサ、並列プログラム化したプロセッサ、ロジックＩＣ、ＧＡ、ＡＳＩＣ、または、ＦＰＧＡである。ＧＡは、Ｇａｔｅ  Ａｒｒａｙの略語である。ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略語である。ＦＰＧＡは、Ｆｉｅｌｄ−Ｐｒｏｇｒａｍｍａｂｌｅ  Ｇａｔｅ  Ａｒｒａｙの略語である。
【００３３】
属性値抽出部１０１と、表示操作部１０２と、類似抽出部１０３と、計画書生成部１０４との機能は、１つの処理回路９０９で実現されてもよいし、複数の処理回路９０９に分散して実現されてもよい。
【００３４】
別の変形例として、計画生成装置１０の機能がソフトウェアとハードウェアとの組合せで実現されてもよい。すなわち、計画生成装置１０の一部の機能が専用のハードウェアで実現され、残りの機能がソフトウェアで実現されてもよい。
【００３５】
計画生成装置１０のプロセッサ９１０、記憶装置９２０、および、処理回路９０９を、総称して「プロセッシングサーキットリ」という。つまり、計画生成装置１０の構成が図１および図５のいずれに示した構成であっても、属性値抽出部１０１と、表示操作部１０２と、類似抽出部１０３と、計画書生成部１０４との機能および記憶部１２０は、プロセッシングサーキットリにより実現される。
【００３６】
「部」を「工程」または「手順」または「処理」に読み替えてもよい。また、「部」の機能をファームウェアで実現してもよい。
【００３７】
＊＊＊本実施の形態の効果の説明＊＊＊
本実施の形態に係る計画生成装置１０は、ユーザへのメッセージ表示およびユーザからのデータ入力を行う表示操作部を備える。また、計画生成装置１０は、各種データベースから属性値を抽出する属性値抽出部を備える。また、計画生成装置１０は、ユーザのからの入力と抽出した属性値とから、計画プロジェクトの属性値を設定する計画属性データベースを備える。また、計画生成装置１０は、プロジェクトの特性を決定するための属性値と、特性をいくつかのパターンに分類した情報を保持した属性データベースと、特性パターン毎に対応した品質計画書のテンプレートを保持した計画書テンプレートデータベースとを備える。また、計画生成装置１０は、プロジェクトの属性値と属性データベースとに基づき特性パターンを判定する類似抽出部を備える。よって、本実施の形態に係る計画生成装置１０によれば、プロジェクトの特性毎に分類されたパターン中で最も似ているプロジェクトに適した品質計画書を自動生成できる。
【００３８】
本実施の形態に係る計画生成装置１０は、品質計画書のテンプレートを複数保持し、開発規模、体制、費用、品質要求、および適用規則といったプロジェクト属性を対話的に決定する。そして、計画生成装置１０は、計画プロジェクトの属性値と属性データベース内の属性値と比較し、複数のテンプレートの中からプロジェクトに最適な品質計画書を自動生成する。テンプレートには、パラメータとしてプロジェクトの属性値を設定することにより、プロジェクト毎に、ビジネスユニットあるいは製品ドメインのように大きな違いはテンプレートの選択により、開発規模あるいは人数といった小さな違いはパラメータの設定により、プロジェクトの品質計画書を生成する。この自動生成により、テンプレートで確保された品質の品質計画書を、品質保証活動の有識者および熟練者でなくても作成できる。よって、品質計画書の自動生成による作成効率向上を図ることができる。また、品質保証活動の熟練者でなくても、一定レベルの品質の品質計画書を作成できることから、熟練者以外での品質保証活動の品質を確保することができる。
【００３９】
本実施の形態に係る計画生成装置１０は、属性データベースの属性に適用規則を含めるとともに、品質計画書のテンプレートに規則遵守の評価を含める。この構成により、本実施の形態に係る計画生成装置１０によれば、規則の遵守を評価できる品質計画書を自動生成できる。
【００４０】
実施の形態２．
本実施の形態では、主に、実施の形態１との相違点について説明する。なお、実施の形態１と同様の構成には同一の符号を付し、その説明を省略する。
本実施の形態では、品質計画書４００を生成した後に、さらに、結果報告書４０４と是正指摘票４０５とを自動的に生成する計画生成装置１０ａについて説明する。このように、品質保証活動および監査の結果から、プロジェクトおよび組織に是正を促し、是正を監視する是正指摘票４０５を自動生成することにより、より作業効率の向上を図ることができる。また、結果報告書４０４および是正指摘票４０５の自動生成による作成効率の向上を図ることができる。
【００４１】
図６は、本実施の形態に係る計画生成システム５００ａおよび計画生成装置１０ａの構成図である。
本実施の形態に係る計画生成装置１０ａは、実施の形態１で生成した品質計画書４００を用いて品質保証活動を実施した実施者６１から、実施済チェックリスト４０３ａを取得することにより、結果報告書４０４および是正指摘票４０５を自動的に生成する。
計画生成装置１０ａは、実施の形態１の機能構成に加え、報告指摘生成部１０５を備える。また、記憶部１２０には、実施の形態１で説明した各データベースに加え、報告指摘テンプレートデータベース２０３を備える。また、記憶部１２０には、品質保証活動を実施した実施者６１から取得した実施済チェックリスト４０３ａが記憶される。
【００４２】
報告指摘テンプレートデータベース２０３は、プロジェクトの実施結果が設定される結果報告書とプロジェクトの実施結果から導かれる指摘事項が設定される是正指摘票とのテンプレートを報告指摘テンプレート２３として格納する。
報告指摘生成部１０５は、計画プロジェクト７０を実施した実施者から実施結果７１を取得する。また、報告指摘生成部１０５は、実施結果７１に基づいて報告指摘テンプレートデータベース２０３から報告指摘テンプレート２３を選定する。報告指摘生成部１０５は、選定した報告指摘テンプレート２３に実施結果７１を設定することにより計画プロジェクト７０を実施した際の結果報告書４０４および是正指摘票４０５を生成する。
【００４３】
図７は、本実施の形態に係る報告指摘生成処理Ｓ２００を示すフローチャートである。
ステップＳ２０１において、実施者６１は、品質計画書４００に基づき品質保証活動を実施し、チェックリスト４０３に結果を記載し、実施済チェックリスト４０３ａを作成する。計画生成装置１０ａは、入力インタフェース９３０を介して、実施済チェックリスト４０３ａを取得する。
ステップＳ２０２において、報告指摘生成部１０５は、実施結果７１である実施済チェックリスト４０３ａに基づいて、報告指摘テンプレートデータベース２０３から結果報告書４０４および是正指摘票４０５の報告指摘テンプレート２３を選定する。実施済チェックリスト４０３ａには、具体的には、実施日時、監査者、計画プロジェクト、実施結果、指摘内容および改善提案といった情報が記入されている。報告指摘生成部１０５は、実施済チェックリスト４０３ａに記入されている情報に基づき、選定した結果報告書４０４および是正指摘票４０５の報告指摘テンプレート２３を用いて、結果報告書４０４および是正指摘票４０５を自動生成する。なお、報告指摘生成部１０５は、報告指摘テンプレート２３の代わりに実施済チェックリスト４０３ａそのものを用いてもよい。
【００４４】
以上のように、本実施の形態に係る計画生成装置１０ａは、実施済チェックリストの記載内容に基づき、報告指摘テンプレートを使い、結果報告書および是正指摘票を自動的に生成する報告指摘生成部を備える。よって、本実施の形態に係る計画生成装置１０ａによれば、評価および審査による結果報告書および是正指摘票の作成を自動化し、品質保証活動を効率化することができる。
【００４５】
上述した実施の形態では、属性値抽出部と、表示操作部と、類似抽出部と、計画書生成部との各々が独立した機能ブロックとして計画生成装置を構成している。しかし、上述した実施の形態のような構成でなくてもよく、計画生成装置の構成は任意である。計画生成装置の機能ブロックの構成は、上述した実施の形態で説明した機能を実現することができれば、任意である。これらの機能ブロックの他のどのような組み合わせにより、あるいは任意のブロック構成により、計画生成装置を構成しても構わない。
また、計画生成装置は、１つの装置でもよいし、複数の装置から構成されてもよい。
【００４６】
実施の形態１および２について説明したが、これらの実施の形態のうち、複数の部分を組み合わせて実施しても構わない。あるいは、これらの実施の形態のうち、１つの部分を実施しても構わない。その他、これらの実施の形態の複数の部分を、全体として実施しても構わないし、あるいは部分的にどのように組み合わせて実施しても構わない。
なお、上述した実施の形態は、本質的に好ましい例示であって、本発明、その適用物および用途の範囲を制限することを意図するものではなく、必要に応じて種々の変更が可能である。
【符号の説明】
【００４７】
１０，１０ａ  計画生成装置、２２  計画書テンプレート、２３  報告指摘テンプレート、６０  利用者、６１  実施者、７０  計画プロジェクト、７１  実施結果、１００  属性値取得部、１０１  属性値抽出部、１０２  表示操作部、１０３  類似抽出部、１０４  計画書生成部、１０５  報告指摘生成部、１２０  記憶部、２００  属性データベース、２０１  計画属性データベース、２０２  計画書テンプレートデータベース、２０３  報告指摘テンプレートデータベース、３００  規則計画データベース、３０１  プロジェクト計画データベース、３０２  規則データベース、３０３  フェーズ規則データベース、３０４  フェーズ成果物データベース、３０５  成果物規則データベース、４００  品質計画書、４０１  品質保証計画、４０２  品質監査計画、４０３  チェックリスト、４０３ａ  実施済チェックリスト、４０４  結果報告書、４０５  是正指摘票、５００，５００ａ  計画生成システム、５１０  計画生成方法、５２０  計画生成プログラム、９０９  処理回路、９１０  プロセッサ、９２０  記憶装置、９２１  メモリ、９２２  補助記憶装置、９３０  入力インタフェース、９４０  出力インタフェース、９５０  通信装置、Ｓ１０  属性値取得処理、Ｓ２０  類似抽出処理、Ｓ３０  計画書生成処理。
【図１】
2018116449.tif 000003
【図２】
2018116449.tif 000004
【図３】
2018116449.tif 000005
【図４】
2018116449.tif 000006
【図５】
2018116449.tif 000007
【図６】
2018116449.tif 000008
【図７】
2018116449.tif 000009